(57)【要約】【課題】遊技盤がしっかりと見える弾球遊技機を提供する。【解決手段】遊技盤ユニット１０は、遊技盤本体４０と、光透過性パネル４１とから構成されている。遊技盤本体４０は、前側の光透過層４０ａと後側の画像形成層４０ｂとから構成され、レール枠４３、光透過性パネル４１を装着するための凹部４５、集合樋４７とが一体に形成されている。遊技機本体３には内枠２１が設けられ、内枠２１に形成された開口２１ａ内には複数のＬＥＤ３７が設けられている。遊技盤１０が開口２１ａ内に取り付けられるとＬＥＤ３７からの光によって光透過層４０ａが照明される。光透過性パネル４０はＬＥＤ３７からの光によって照らされる。また画像形成層に形成されたモチーフ画がＬＥＤ３７からの光によって照らされ、遊技者にはっきりと示される。【選択図】図３
2008035992.tif 000002
【特許請求の範囲】
【請求項１】
遊技球が入賞する入賞口を有する遊技領域が遊技盤の前面に形成され、前記遊技盤の前面に前記遊技領域と非遊技領域とを仕切るレール枠を備えた弾球遊技機において、
前記遊技盤に前記レール枠を一体に形成し、かつ前記遊技盤を、光透過性を有する光透過層とし、
前記遊技盤の周囲から前記光透過層に光を照射する照明手段を設けたことを特徴とする弾球遊技機。
【請求項２】
前記光透過層の後側に、モチーフ画が形成された画像形成層を設けたことを特徴とする請求項１記載の弾球遊技機。
【請求項３】
前記遊技盤は遊技機本体に取り付けられており、
前記照明手段を前記遊技機本体に備えたことを特徴とする請求項１または２記載の弾球遊技機。
【請求項４】
前記遊技領域を流下する遊技球の流下方向を変える複数の障害体が光透過性を有するパネル上に植設されており、
前記遊技盤の前面に、前記障害体が前記遊技領域内に突き出るように前記パネルを装着するための凹部を設けたことを特徴とする請求項１ないし３いずれか１つ記載の弾球遊技機。
【発明の詳細な説明】
【技術分野】
【０００１】
本発明はパチンコ店等の遊技場に設置して使用される弾球遊技機に関するものである。
【背景技術】
【０００２】
弾球遊技機として、例えばパチンコ機は、遊技盤を備え、遊技盤の前面は、レール枠を介してガラスなどの透明なカバーと対向し、これによりレール枠内に入賞口を有する遊技領域が形成され、レール枠外に非遊技領域が形成されている。遊技領域内にはパチンコ玉の流下方向を変える釘が設けられ、遊技者は遊技領域内に設けられた入賞口にパチンコ玉を入賞させて遊技を楽しむことができた。
【０００３】
一方、遊技盤には遊技の興趣を高めるために様々な工夫がなされ、例えば、特許文献１には、ＲＧＢ各色のＬＥＤを無色透明な樹脂で一体に形成した飾りを非遊技領域に設けたパチンコ機が例示されている。この構成により、各ＬＥＤの駆動を調節することで様々な色の光を作り出すことができ、遊技に合わせて様々な色の光を非遊技領域で発光させて遊技を演出していた。
【特許文献１】特開２００２−０９５７９７号公報
【発明の開示】
【発明が解決しようとする課題】
【０００４】
ところで、光透過性を有する光透過層と、パチンコ機のテーマに合わせてモチーフ画が形成された画像形成層とからなる遊技盤が考案されたが、遊技場の天井などに備えられた照明によって遊技盤自体が見えにくい場合や、遊技盤に備えられたモチーフ画が見えにくい場合があった。
【０００５】
本発明は上記の事情に鑑みてなされたものであり、その目的は、遊技盤をはっきりと示す弾球遊技機を提供することにある。
【課題を解決するための手段】
【０００６】
上記の目的を達成するために、本発明の弾球遊技機では、遊技球が入賞する入賞口を有する遊技領域が遊技盤の前面に形成され、この遊技盤の前面に遊技領域と非遊技領域とを仕切るレール枠を備えた弾球遊技機において、遊技盤にレール枠を一体に形成し、かつ遊技盤を、光透過性を有する光透過層とし、遊技盤の周囲から光透過層に光を照射する照明手段を設けたことを特徴とする。
【０００７】
また、光透過層の後側に、モチーフ画が形成された画像形成層を設けたことを特徴とする。
【０００８】
遊技盤は遊技機本体に取り付けられており、照明手段を遊技機本体に備えたことを特徴とする。
【０００９】
また、遊技領域を流下する遊技球の流下方向を変える複数の障害体が光透過性を有するパネル上に植設されており、遊技盤の前面に、障害体が遊技領域内に突き出るようにパネルを装着するための凹部を設けたことを特徴とする。
【発明の効果】
【００１０】
本発明の弾球遊技機によれば、遊技球が入賞する入賞口を有する遊技領域が遊技盤の前面に形成され、この遊技盤の前面に遊技領域と非遊技領域とを仕切るレール枠を備えた弾球遊技機において、遊技盤にレール枠を一体に形成し、かつ遊技盤を、光透過性を有する光透過層とし、遊技盤の周囲から光透過層に光を照射する照明手段を設けたことにより、光透過層とされた遊技盤がその周囲に設けられた照明手段からの光を受けて全体で光り、これにより遊技盤をはっきりと示すことができる。
【００１１】
また、光透過層の後側に、モチーフ画が形成された画像形成層を設けたことにより、光透過層を介してモチーフ画が照らされ、モチーフ画を遊技者に強調して見せることができる。
【００１２】
遊技盤は遊技機本体に取り付けられ、照明手段を遊技機本体に備えたことにより、遊技盤のサイズを小さくすることが可能となり、遊技盤の取り付け取り外しが容易になる。
【００１３】
また、遊技領域を流下する遊技球の流下方向を変える複数の障害体が光透過性を有するパネル上に植設されており、遊技盤の前面に、障害体が遊技領域内に突き出るようにパネルを装着するための凹部を設けたことにより、凹部に装着されたパネルが光透過層を介して照明手段によって照らされ、遊技領域を流下する遊技球の動きをより強く印象付けることができる。
【発明を実施するための最良の形態】
【００１４】
パチンコ機の外観斜視図を図１に示す。パチンコ機２の前面には、上扉４及び下扉５からなる２枚の前面扉が遊技機本体３に対して回動自在に設けられている。上扉４は一方の側端部に設けられたヒンジ部８を介して開閉自在に本体基部に取り付けられ、下扉５は一方の側端部に設けられたヒンジ部９を介して開閉自在に遊技機本体３に取り付けられている。上扉４及び下扉５は図示しない施錠装置によって施錠されている。
【００１５】
遊技機本体３には、上扉４、下扉５の他に、遊技盤１０が設けられ、遊技盤１０は上扉４に形成された開口４ａから露呈している。この開口４ａはガラス板７によって覆われ、ガラス板７と遊技盤１０との間にはパチンコ玉が流下する遊技領域１１が形成され、遊技者はガラス板７を通して遊技領域１１を視認することができる。
【００１６】
下扉５には、受け皿１２、発射操作装置１４、払出口１５等が設けられている。受け皿１２には遊技を開始する際にパチンコ玉が流入する他、遊技領域１１を流下するパチンコ玉が遊技盤１０に設けられた入賞口に入賞したときに、払出口１５を介してパチンコ玉が払い出される。発射操作装置１４は回動可能に設けられた回動操作部材１４ａを備え、回動操作部材１４ａが初期位置から回動されたときに遊技機本体３の下部に備えられた発射装置が作動する。発射装置が作動するとパチンコ玉が発射され、発射装置によって発射されたパチンコ玉は遊技領域１１の上部に打ち出される。
【００１７】
遊技盤１０上にはセンター役物３０の他に、ピン状に形成された障害部、センター役物３０の下方に位置するスタートチャッカ２３、スタートチャッカ２３の下方に位置するアタッカ２６、アタッカ２６の両脇に位置した入賞チャッカ２４等が設けられている。障害部は遊技領域１１に突き出ており、この障害部に当たりながらパチンコ玉は遊技領域１１を流下する。遊技盤１０には始動入賞口、通常入賞口、大入賞口が形成され、始動入賞口に合わせてスタートチャッカ２３が設けられ、通常入賞口に合わせて入賞チャッカ２４が設けられ、大入賞口に合わせてアタッカ２６が設けられている。スタートチャッカ２３には、例えば電動チューリップと呼ばれる開閉式の可動装置が設けられ、これによってパチンコ玉が入賞しやすい状態と入賞しにくい状態とが切り替えられるようになっている。なお、遊技領域１１に打ち出されたパチンコ玉が入賞チャッカ２４やアタッカ２６等のいずれにも入賞しない場合はアウト口３３によって回収される。
【００１８】
センター役物３０には４つの保留表示部や表示画面３５が備えられている。表示画面３５は、例えば、横に３つの図柄を並べて表示して電子抽選の結果を告知する。始動入賞口にパチンコ玉が入賞したときに開始される電子抽選に応じて表示画面３５に図柄が変動表示された後に、所定の図柄が停止表示されることで遊技者に対して抽選結果が告知される。図柄は、例えば１〜９までの数字であり、図柄が縦に流れる変動表示が行われた後、電子抽選に当選した場合には同じ数字が３つ順次停止表示される。
【００１９】
保留表示部は、表示画面３５で図柄が変動表示されている間に始動入賞口にパチンコ玉が入賞するごとに１つ点灯する。この入賞は、電子抽選を行って図柄を変動させる権利として持ち越され、この権利の持ち越しは上限が４つまでと予め定められている。なお、保留表示部は、この権利を消化するごとに１つずつ消灯する。
【００２０】
スタートチャッカ２３に設けられた始動入賞口にパチンコ玉が入賞したとき、予め決められた個数のパチンコ玉が払出口１５から払い出されて受け皿１２に流入する。スタートチャッカ２３の左右斜め下方には２つの入賞チャッカ２４が設けられている。入賞チャッカ２４には通常入賞口が設けられ、通常入賞口にパチンコ玉が入賞すると、所定の個数のパチンコ玉が払出口１５を介して受け皿１２に払い出されるようになっている。
【００２１】
アタッカ２６には大入賞口を開閉する可動扉２６ａが備えられ、表示画面３５によって当たりが告知されたときに可動扉２６ａが開放され、所定期間開放された場合や一定個数のパチンコ玉が入賞した場合に閉じる。大入賞口にパチンコ玉が入賞すると、これに応じて予め決められた個数のパチンコ玉が受け皿１２に払い出される。可動扉２６ａの一時的な開放が一定回数繰り返されると、当たりの告知に伴うアタッカ２６の開放が終了するようになっている。
【００２２】
図２に示すように、遊技機本体３は、外枠２０、内枠２１等から構成され、内枠２１には遊技盤１０を装着するための開口２１ａが形成されている。外枠２０は遊技場に固定され、内枠２１は外枠２０の内側に嵌め込まれる。遊技機本体３の一方の側端には上扉４及び下扉５が軸支され、他方の側端には遊技盤１０を固定するための固定具３９が前方に向けて突設されている。開口２１ａ内には照明手段である複数のＬＥＤ３７が設けられ、これにより遊技盤１０を照らすことができるようになっている。
【００２３】
遊技盤１０の側端部には、固定具３９が挿通される挿通孔１０ａが設けられ、挿通孔１０ａは遊技盤１０の上部及び下部に形成されている。遊技機本体３には挿通孔１０ａの位置に対応して固定具３９が設けられ、固定具３９の一端は遊技機本体３によって保持され、他端には回動操作されるつまみ３９ａが設けられている。固定具３９は軸部３９ｂと軸部３９ｂの端に回動自在に設けられたつまみ３９ａとによってＴ字形状をしている。つまみ３９ａは挿通孔１０ａよりも一回り小さく形成され、挿通孔１０ａを通って前面に突出したつまみ３９ａを９０°回動させると、挿通孔１０ａの周囲面とつまみ３９ａが有する平面とが係合する。このように固定具３９のつまみ３９ａが挿通孔１０ａの周囲に係止し、これによって遊技盤１０が遊技機本体３に固定される。なお、上記ではつまみ３９ａが略９０°回動操作されることにより遊技盤の前面に係止する固定具を例示したが、固定具はこれに限らず、ネジなどでもよい。遊技機本体にネジが螺嵌されるネジ穴を設け、挿通孔を通されたネジがネジ穴に螺嵌されることで遊技盤を遊技機本体に固定することができる。
【００２４】
図３に示すように、遊技盤１０は、遊技盤本体４０と光透過性パネル４１とから構成され、光透過性パネル４１は遊技盤本体４０の前面に着脱自在に取り付けられている。遊技盤本体４０は、前側の光透過層４０ａとこの光透過層４０ａの裏側に一体に形成された画像形成層４０ｂとから構成されている。光透過層４０ａは透明であって導光性を有する材料によって形成され、画像形成層４０ｂにはパチンコ機の機種名に合わせたモチーフ画が形成されている。光透過層４０ａには、パチンコ玉が流下する遊技領域１１と非遊技領域とを仕切り、かつ遊技機本体３に備えられた発射装置から発射されたパチンコ玉を遊技領域１１の上部に案内するレール枠４３と、光透過性パネル４１を取り付けるための凹部４５とが一体に形成されている。また、遊技盤１０の裏側には、移動したパチンコ玉を裏側で案内する集合樋４７が一体に形成されている。
【００２５】
光透過性パネル４１は、アクリルなどの透明な樹脂によって形成され、一方の面にはパチンコ玉の流下方向を変える複数の障害部４１ａが一体に形成されている。遊技盤１０の表側に形成された凹部４５は裏側に凹んでおり、光透過性パネル４１が凹部４５に装着されると、パネル表面とレール枠４３とガラス板７とによって囲まれた遊技領域１１が形成される。光透過性パネル４１には各種入賞口４１ｂが形成され、この入賞口に合わせて遊技盤１０にはパチンコ玉を誘導するための開口４０ｃが形成されている。入賞口４１ｂ及び開口４０ｃを通って遊技盤本体４０の裏側に移動したパチンコ玉は集合樋４７によって遊技機本体３側に案内される。
【００２６】
遊技盤本体４０の裏側には画像形成層４０ｂが一体形成されている。これにより、画像形成層４０ｂに形成されたモチーフ画が透明な光透過層４０ａを介して前側に表示されるようになる。画像形成層４０ｂは、例えば、透明な接着層とモチーフ画が形成された印刷層とからなり、接着層が光透過層４０ａの裏側に接合されて印刷層が固定される。光透過層４０ａの材質としては、アクリルの他、セルロイドや塩化ビニル、アクリル、ポリカーボネート等が用いられる。
【００２７】
内枠２１に形成された開口２１ａは、側面部と、この側面部と連なる底面部とからなり、後側に凹んでいる。開口２１ａ内に遊技盤１０が嵌め入れられると、遊技盤１０の縁は側面部に対向する。
【００２８】
遊技盤１０の裏側には上部及び下部に係止爪が設けられており、これらの係止爪が内枠２１内に設けられた係合部に係合することで遊技盤１０が遊技機本体３に固定される。なお、取り外す際には、図示しないレバーを操作することで係止爪が退避して遊技盤１０の取り外しが可能となる。
【００２９】
開口２１ａ内には複数のＬＥＤ３７が配置され、遊技盤１０が開口２１ａ内に装着されると、遊技盤１０に向けてＬＥＤ３７から照明光が照射されるようになる。遊技盤１０にＬＥＤ３７から光が照射されたとき、ＬＥＤ３７からの光が光透過層４０ａ内で拡散されて遊技盤１０が発光する。これにより、画像形成層４０ｂに形成されたモチーフ画がはっきり表示される。また、光透過性パネル４１は光透過層４０ａからの光によって照らされる。
【００３０】
図４に示すように、パチンコ機２は主制御部５２等から構成され、パチンコ機２は、主制御部５２内に設けられたＣＰＵ５３によって主要な部分が制御されている。
【００３１】
主制御部５２にはＣＰＵ５３のほか、ＲＡＭ５５、ＲＯＭ５６、当たり決定部５７、停止図柄決定部５９、遊技制御部６１などが設けられている。ＲＯＭ５６には、遊技を演出するための複数の画像データ、パチンコ機２に備えられた可動物を画像や音声に合わせて駆動させるための駆動データなどか格納されている。ＣＰＵ５３はＲＯＭ５６の制御プログラムに従ってパチンコ機２全般を制御する。
【００３２】
パチンコ機２には主制御部５２の他、払出制御装置６５、可動物制御装置６７、発射制御装置６９、始動入賞口入賞球検出センサ７０、大入賞口入賞球検出センサ７１、通常入賞口入賞球検出センサ７２、通過球検出センサ７３、表示制御装置７５、点灯制御装置７７、音声制御装置（図示省略）などが設けられている。通過球検出センサ７３は遊技領域１１に設けられた通過チャッカに設けられ、パチンコ玉の通過の応じて検出信号がＣＰＵ５３に入力される。入賞チャッカ２４に対応して設けられた通常入賞口内には通常入賞口入賞球検出センサ７２が、スタートチャッカ２３に対応して設けられた始動入賞口内には始動入賞口入賞球検出センサ７０が、アタッカ開放時に露呈する大入賞口内には大入賞口入賞球検出センサ７１がそれぞれ設けられており、それぞれパチンコ玉の検出に応じて検出信号がＣＰＵ５３に入力される。
【００３３】
払出制御装置６５は、通常入賞口入賞球検出センサ７２や大入賞口入賞球検出センサ７１からの検出信号の入力に応じてパチンコ玉を払い出す。それぞれの入賞口にパチンコ玉が入賞した場合に払い出されるパチンコ玉の個数は予め定められており、払出制御装置６５によって払い出されたパチンコ玉は払出口１５から受け皿１２に排出される。
【００３４】
発射制御装置６９は発射操作装置１４に備えられた回動部材１４ａが初期位置から回動されたときにパチンコ玉を遊技領域１１に打ち出す。図示しないがパチンコ機２には遊技領域１１にパチンコ玉を打ち出すための打ち出しノッカー、受け皿１２に貯留されたパチンコ玉を打ち出しノッカーに送る球送り装置が備えられ、回動操作部材１４ａの回し具合に応じた打ち出し強度で打ち出しノッカーはパチンコ玉を打つ。打ち出されたパチンコ玉は、レール枠４３によって遊技領域１１の上部に導かれる。
【００３５】
音声制御装置はサウンドメモリを備え、図柄の変動表示を行っているときや当たりを示す図柄が停止表示されたときなどにサウンドメモリから音声データを読み出し、この音声データを基にパチンコ機２に備え付けられたスピーカを駆動させて外部に音声を出力する。
【００３６】
当たり決定部５７は乱数発生器、乱数サンプリング回路、当たり決定テーブルを備え、始動入賞口入賞球検出センサ６０がパチンコ玉の入賞を検出するたびに乱数値をサンプリングする。サンプリングされた乱数値は当たり決定テーブルに照合されて大当たりまたははずれが決定される。
【００３７】
停止図柄決定部５９では表示画面３５に停止表示させる図柄の組み合せが決定される。停止図柄決定部５９は停止図柄テーブルを備え、当たり決定部５７での抽選後、抽選結果に応じて停止図柄テーブルを参照して停止図柄を決定する。停止図柄テーブルは大当たり用とはずれ用とがあり、大当たり用の図柄テーブルには複数種類の大当たり用の画像データが格納されている。
【００３８】
点灯制御装置７７はＬＥＤ３７の点灯を制御し、ＬＥＤ３７が点灯すると、遊技盤１０が照明される。ＬＥＤ３７の点灯の制御態様としては、例えば、点灯制御装置７７は、当たり決定部５７で当たりに当選したときなど、特定の条件が揃ったときにＬＥＤ３７を一定期間点滅させるなどがあり、これにより遊技盤１０全体が明滅する。
【００３９】
次に上記構成の作用について説明する。パチンコ機２には、前側に光透過層４０ａを備え、かつ後側に画像形成層４０ｂを備えた遊技盤本体４０と、光透過性パネル４１とからなる遊技盤４０が装着されている。
【００４０】
光透過層４０ａにはレール枠４３が一体に形成され、遊技領域１１内には光透過性パネル４１の凹部４５が形成され、凹部４５には光透過性パネル４１が取り付けられている。また、遊技盤１０の裏側には集合樋４７が設けられ、各種入賞口を介して遊技盤１０の表側から裏側に移動したパチンコ玉は集合樋４７によって遊技機本体３側に案内される。
【００４１】
光透過性パネル４１は板状に形成され、表面にはパチンコ玉の流下方向を変える障害部４１ａが一体に形成され、凹部４５に光透過性パネル４１がネジ止めされた際、障害部４１ａが遊技領域１１内に突出する。
【００４２】
遊技盤１０が取り付けられる開口２１ａ内にはＬＥＤ３７が設けられ、遊技盤１０に光を照射できるようになっている。ＬＥＤ３７が点灯すると、ＬＥＤ３７からの光が光透過層４０ａ内で拡散し、これにより画像形成層４０ｂに形成されたモチーフ画が明るくはっきりと表示される。また、光透過層４０ａを介して光透過性パネル４１が照らされ、これにより遊技盤１０全体が明るく照明される。
【００４３】
なお、上記の実施形態ではレール枠４３と、凹部４５と、集合樋４７とを一体形成した遊技盤１０を例示したが、遊技盤１０の形態はこれに限らない。例えば、集合樋を省き、レールと凹部とからなる遊技盤を形成してもよい。
【００４４】
また、上記の実施形態では発光体としてＬＥＤを遊技機本体に設けた実施例を示したが、発光体はこれに限らず、例えば、蛍光灯や、ネオン管等を利用してもよい。また、ＬＥＤの色は１色に限らず、例えば、赤、青、緑色のＬＥＤによって構成されるＬＥＤユニットを遊技機本体に備えてもよい。このように３色から構成されるＬＥＤユニットを備えることで様々な色を示すことが可能となり、遊技の興趣をさらに高めることができる。
【図面の簡単な説明】
【００４５】
【図１】本発明のパチンコ機を前側から観察した分解斜視図である。
【図２】遊技盤が遊技機本体から取り外されたパチンコ機の分解斜視図である。
【図３】入賞チャッカを通り、遊技盤の盤面に垂直な平面で遊技盤を縦に切断した断面図である。
【図４】パチンコ機の電気的な構成を概略的に示すブロック図である。
【符号の説明】
【００４６】
２  パチンコ機（弾球遊技機）
３  遊技機本体
１０  遊技盤
１１  遊技領域
２１  内枠
２１ａ  開口
３７  ＬＥＤ（照明手段）
４０  遊技盤本体
４０ａ  光透過層
４０ｂ  画像形成層
４１  光透過性パネル（パネル）
４１ａ  障害部
４１ｂ  開口
４３  レール枠
４５  凹部
４７  集合樋
７７  点灯制御装置
【図１】
2008035992.tif 000003
【図２】
2008035992.tif 000004
【図３】
2008035992.tif 000005
【図４】
2008035992.tif 000006